(57)【要約】      （修正有）【課題】組み立て作業が簡単であるとともに少ない工数で組み立てが可能な送風装置を提供する。【解決手段】第１ファン部１０と、前記第１ファン部の軸方向下方に配置される第２ファン部２０と、前記第１ファン部および前記第２ファン部を収容する筒状のハウジング部と、を有する。前記ハウジング部は、前記第１ファン部が収容される上筒部と、前記第２ファン部が収容される下筒部と、前記上筒部の軸方向下端部に配置されて前記第１ファン部を支持する第１ファン支持部３３と、前記下筒部の軸方向上端部に配置されて前記第２ファン部を支持する第２ファン支持部３４と、を有する。前記ハウジング部は、第１上筒分割体３１１、第１下筒分割体３２１および前記第１ファン支持部が含まれる第１部材３０ａと、第２上筒分割体３１２、第２下筒分割体３２２および前記第２ファン支持部が含まれる第２部材３０ｂと、に分割可能である。【選択図】図３
2020197160.tif 000002
【特許請求の範囲】
【請求項１】
上下に延びる中心軸に沿う方向に流れる気流を発生させる第１ファン部と、
前記第１ファン部の軸方向下方に配置されて、前記第１ファン部と同軸に配置される第２ファン部と、
前記中心軸に沿って延びるとともに前記第１ファン部および前記第２ファン部を収容する筒状のハウジング部と、を有し、
前記ハウジング部は、
前記第１ファン部が収容される上筒部と、
前記第２ファン部が収容される下筒部と、
前記上筒部の軸方向下端部に配置されて前記第１ファン部を支持する第１ファン支持部と、
前記下筒部の軸方向上端部に配置されて前記第２ファン部を支持する第２ファン支持部と、を有し、
前記上筒部は、第１上筒分割体と第２上筒分割体とに周方向に分割可能であり、前記下筒部は、第１下筒分割体と第２下筒分割体とに周方向に分割可能であり、
前記ハウジング部は、
前記第１上筒分割体、前記第１下筒分割体および前記第１ファン支持部が含まれる第１部材と、
前記第２上筒分割体、前記第２下筒分割体および前記第２ファン支持部が含まれる第２部材と、に分割可能である、送風装置。
【請求項２】
前記第１ファン支持部は、前記第１ファン部が取り付けられる第１ベース部と
前記中心軸を中心とする筒体を周方向に切断したアーチ状であり、前記第１上筒分割体の軸方向下端部の周方向両端を連結する第１支持枠部と、
前記第１ベース部と前記第１支持枠部とを径方向に連結する第１リブと、を有し、
前記第２ファン支持部は、前記第２ファン部が取り付けられる第２ベース部と
前記中心軸を中心とする筒体を周方向に切断したアーチ状であり、前記第２下筒分割体の軸方向上端部の周方向両端を連結する第２支持枠部と、
前記第２ベース部と前記第２支持枠部とを径方向に連結する第２リブと、を有する請求項１に記載の送風装置。
【請求項３】
前記第１部材は、前記第１下筒分割体の径方向内面の上端部に径方向外側に凹み、前記第２支持枠部の一部が収容される第１収容部を有し、
前記第２部材は、前記第２上筒分割体の径方向内面の下端部に径方向外側に凹み、前記第１支持枠部の一部が収容される第２収容部を有する請求項２に記載の送風装置。
【請求項４】
前記第１収容部は、径方向に貫通する貫通部を有し、
前記第２支持枠部の径方向外面は、前記貫通部に挿入可能な凸部を有する請求項３に記載の送風装置。
【請求項５】
前記第２収容部は、径方向に貫通する貫通部を有し、
前記第１支持枠部の径方向外面は、前記貫通部に挿入可能な凸部を有する請求項３に記載の送風装置。
【請求項６】
軸方向から見たとき、前記第１上筒分割体の周方向の両端の少なくとも一方は、前記第１下筒分割体の周方向の両端のいずれとも重ならない請求項１から請求項５のいずれかに記載の送風装置。
【請求項７】
前記ハウジング部は、
前記上筒部の軸方向上端の外周面から径方向外側に拡がる上フランジと、
前記下筒部の軸方向下端の外周面から径方向外側に拡がる下フランジと、を有し、
前記上フランジは、前記第１部材に含まれる第１上フランジ部と、前記第２部材に含まれる第２上フランジ部とに分割され、
前記下フランジは、前記第１部材に含まれる第１下フランジ部と、前記第２部材に含まれる第２下フランジ部とに分割される請求項１から請求項６のいずれかに記載の送風装置。
【請求項８】
前記第１上フランジ部は、固定具を取り付ける第１上取付孔を複数有し、
前記第２上フランジ部は、固定具を取り付ける第２上取付孔を複数有し、
前記第１下フランジ部は、固定具を取り付ける第１下取付孔を複数有し、
前記第２下フランジ部は、固定具を取り付ける第２下取付孔を複数有し、
少なくとも１つの前記第１上取付孔と軸方向に見たときに重なる前記第２下取付孔を有する、
または、
少なくとも１つの前記第２上取付孔と軸方向に見たときに重なる前記第２上取付孔を有する、請求項７に記載の送風装置。
【請求項９】
前記ハウジング部は、
前記第１部材の軸方向中間部の外周面に径方向外側に拡がる第１中央フランジ部と、
前記第２部材の軸方向中間部の外周面に径方向外側に拡がる第２中央フランジ部と、を有し、
前記第１中央フランジ部は、第１中央取付孔を複数有し、
前記第２中央フランジ部は、第２中央取付孔を複数有し、
少なくとも１つの前記第１上取付孔と、前記第１中央取付孔または前記第２中央取付孔と、前記第２下取付孔とが軸方向に見たときに重なる、
または、
少なくとも１つの前記第２上取付孔と、前記第１中央取付孔または前記第２中央取付孔と、前記第１下取付孔とが軸方向に見たときに重なる請求項８に記載の送風装置。
【請求項１０】
少なくとも一つの、前記第１中央取付孔と前記第２中央取付孔とは、軸方向に見たときにそれぞれ重なる請求項９に記載の送風装置。
【請求項１１】
前記第１ファン部は、第１モータ部と、第１インペラと、前記第１モータ部に電力を供給する第１回路基板と、を有し、
前記第２ファン部は、第２モータ部と、第２インペラと、前記第２モータ部に電力を供給する第２回路基板と、を有し、
前記第１回路基板および前記第２回路基板とは、同一のコネクタで接続される請求項１から請求項１０のいずれかに記載の送風装置。
【発明の詳細な説明】
【技術分野】
【０００１】
本発明は、送風装置に関する。
【背景技術】
【０００２】
例えば、特許第３９５９３５９号公報には、２個（複数）の単体軸流送風機を軸方向に連結した二重反転式軸流送風機が開示されている。二重反転式軸流送風機は、風量が多く静圧が高いため、空気が流れる空間が小さい電気機器において、冷却効率を高めることが可能である。
【先行技術文献】
【特許文献】
【０００３】
【特許文献１】特許第３９５９３５９号公報
【発明の概要】
【発明が解決しようとする課題】
【０００４】
しかしながら、特許第３９５９３５９号公報に記載の二重反転式軸流送風機は、単体軸流送風機それぞれが独自にケースを有しており、ケース同士を連結する構成であるため、ケースを連結するときに、ケース同士を近づけて接触させる動作と、一方のケースを他方のケースに対して回転させる動作とが必要である。
【０００５】
本発明は、組み立て作業が簡単であるとともに少ない工数で組み立てが可能な送風装置を提供することを目的とする。
【課題を解決するための手段】
【０００６】
本発明の例示的な送風装置は、上下に延びる中心軸に沿う方向に流れる気流を発生させる第１ファン部と、前記第１ファン部の軸方向下方に配置されて、前記第１ファン部と同軸に配置される第２ファン部と、前記中心軸に沿って延びるとともに前記第１ファン部および前記第２ファン部を収容する筒状のハウジング部と、を有する。前記ハウジング部は、前記第１ファン部が収容される上筒部と、前記第２ファン部が収容される下筒部と、前記上筒部の軸方向下端部に配置されて前記第１ファン部を支持する第１ファン支持部と、前記下筒部の軸方向上端部に配置されて前記第２ファン部を支持する第２ファン支持部と、を有する。前記上筒部は、第１上筒分割体と第２上筒分割体とに周方向に分割可能であり、前記下筒部は、第１下筒分割体と第２下筒分割体とに周方向に分割可能であり、前記ハウジング部は、前記第１上筒分割体、前記第１下筒分割体および前記第１ファン支持部が含まれる第１部材と、前記第２上筒分割体、前記第２下筒分割体および前記第２ファン支持部が含まれる第２部材と、に分割可能である。
【発明の効果】
【０００７】
例示的な本発明の送風装置によれば、組み立て作業が簡単であるとともに少ない工数で組み立てが可能である。
【図面の簡単な説明】
【０００８】
【図１】図１は、本発明にかかる送風装置の一例の斜視図である。
【図２】図２は、送風装置を中心軸を含む面で切断した縦断面図である。
【図３】図３は、送風装置の分解斜視図である。
【図４】図４は、送風装置の平面図である。
【図５】図５は、送風装置の底面図である。
【図６】図６は、分解したハウジング部を上から見た分解斜視図である。
【図７】図７は、分解したハウジング部を下から見た分解斜視図である。
【図８】図８は、本発明にかかる送風装置の第１変形例の斜視図である。
【図９】図９は、本発明にかかる送風装置の第２変形例の斜視図である。
【図１０】図１０は、本発明にかかる送風装置の第３変形例の斜視図である。
【図１１】図１１は、本発明にかかる送風装置の第４変形例の斜視図である。
【発明を実施するための形態】
【０００９】
以下、本発明の例示的な実施形態について、図面を参照しながら詳細に説明する。なお、本明細書では、送風装置１００において、送風装置１００の中心軸Ｊ１と平行な方向を「軸方向」、送風装置１００の中心軸Ｊ１に直交する方向を「径方向」、送風装置１００の中心軸Ｊ１を中心とする円弧に沿う方向を「周方向」とする。また、送風装置１００において、軸方向を上下方向とし、図１に示す状態を基準として、上側、下側を定義する。なお、上下方向は説明のために用いられる名称であって、送風装置１００の使用状態における位置関係及び方向を限定しない。
【００１０】
＜１．  送風装置１００＞
本発明の例示的な実施形態の送風装置について以下説明する。図１は、本発明にかかる送風装置１００の一例の斜視図である。図２は、送風装置１００の中心軸Ｊ１を含む面で切断した縦断面図である。図３は、送風装置１００の分解斜視図である。図４は、送風装置１００の平面図である。図５は、送風装置１００の底面図である。図６は、分解したハウジング部３０を上から見た分解斜視図である。図７は、分解したハウジング部３０を下から見た分解斜視図である。
【００１１】
送風装置１００は、軸方向上側の端部に設けられた開口（吸気口）から空気を吸い込む。そして、吸い込まれた空気は、送風装置１００の内部で加速（圧縮）し、軸方向下側の端部に設けられた開口（吐出口）から吐出される。
【００１２】
図１から図５に示すとおり、送風装置１００は、第１ファン部１０と、第２ファン部２０と、ハウジング部３０と、を備える。第１ファン部１０と第２ファン部２０とは、上下に並んで配置される。第１ファン部１０は、第２ファン部２０の上方に配置される。第１ファン部１０および第２ファン部２０とは、ハウジング部３０の内部に配置される。
【００１３】
第１ファン部１０は、第２ファン部２０の吸気側に配置される。送風装置１００において、第１ファン部１０と第２ファン部２０とは、中心軸Ｊ１に沿って直列に接続される。第１ファン部１０及び第２ファン部２０は、ともに中心が、中心軸Ｊ１と一致する。
【００１４】
第１ファン部１０は、吸気口から吸い込んだ空気を加速（加圧）して第２ファン部２０に流入させる。また、第２ファン部２０は、第１ファン部１０から流入した空気を加速（加圧）し吐出口から吹き出す。なお、第１ファン部１０および第２ファン部２０は、後述の第１インペラ１２および第２インペラ２２の形状によって、その主目的を風量の増加（加速）または圧力の増加（加圧）とできる。第１ファン部１０および第２ファン部２０は、いずれも風量の増加または圧力の増加であってもよいし、一方が風力の増加、他方が圧力の増加を主目的としてもよい。
【００１５】
＜２．  第１ファン部１０、第２ファン部２０およびハウジング部３０＞
図１に示すように、ハウジング部３０は、中心軸Ｊ１に沿って延びる筒体であり、内部に第１ファン部１０と、第２ファン部２０とを収容する。すなわち、送風装置１００は、中心軸Ｊ１に沿って延びるとともに、第１ファン部１０および第２ファン部２０を収容する筒状のハウジング部３０を有する。
【００１６】
ハウジング部３０は、第１部材３０ａと、第２部材３０ｂとに分割される。第１部材３０ａおよび第２部材３０ｂは、樹脂の成型体である。なお、樹脂に限定されず、金属の成型体であってもよい。また、樹脂および金属を組み合わせた構成であってもよい。樹脂と金属とを組み合わせる場合、例えば、インサート成型により形成されてもよいし、圧入等の固定方法を利用して固定してもよい。
【００１７】
ハウジング部３０は、上筒部３１と、下筒部３２と、第１ファン支持部３３と、第２ファン支持部３４と、上フランジ３５と、下フランジ３６と、中央フランジ３７とを備える。上フランジ３５、下フランジ３６および中央フランジ３７を備えることで、ハウジング部３０の強度が高くなる。
【００１８】
上筒部３１および下筒部３２は、軸方向に上下に並んで配置される。上筒部３１および下筒部３２は、いずれも、中心が中心軸Ｊ１と重なる。上筒部３１の内部には、第１ファン部１０が収容される。下筒部３２の内部には、第２ファン部２０が収容される。すなわち、ハウジング部３０は、第１ファン部１０が収容される上筒部３１と、第２ファン部２０が収容される下筒部３２と、を有する。
【００１９】
第１ファン部１０および第２ファン部２０は、いずれも中心軸Ｊ１を中心として回転することで、軸方向上方から下方に向かって流れる気流が発生する。すなわち、第１ファン部１０は、上下に延びる中心軸Ｊ１に沿う方向に流れる気流を発生させる。第２ファン部２０は、第１ファン部１０の軸方向下方に配置されて、第１ファン部１０と同軸に配置される。
【００２０】
＜３．  上筒部３１＞
上筒部３１は円筒状であり、周方向に分割可能である。上筒部３１を分割した一方が第１上筒分割体３１１であり、他方が第２上筒分割体３１２である。第１上筒分割体３１１は、第１部材３０ａに含まれる。第２上筒分割体３１２は、第２部材３０ｂに含まれる。上筒部３１の周方向の２箇所で分割された部分のうち一方を第１分割部Ｂｎ１１、他方を第２分割部Ｂｎ１２とする。
【００２１】
＜３．１  第１ファン支持部３３＞
第１ファン支持部３３は、上筒部３１の内部の軸方向下端部に配置される。第１ファン支持部３３は、第１ファン部１０を支持する（図２参照）。第１ファン支持部３３は、第１支持枠部３３１と、第１ベース部３３２と、第１リブ３３３と、第１軸受保持部３３４と、第１凸部３３５とを有する。
【００２２】
第１支持枠部３３１は、中心軸Ｊ１を中心とする円筒を周方向に切断したアーチ状である。第１支持枠部３３１の周方向両端は、それぞれ、第１上筒分割体３１１の下端部の周方向端部と接続される。すなわち、第１支持枠部３３１は、中心軸Ｊ１を中心とする筒体を周方向に切断したアーチ状であり第１上筒分割体３１１の軸方向下端部の周方向両端を連結する。
【００２３】
第１上筒分割体３１１の径方向内面と第１支持枠部３３１の径方向内面とは、滑らかに連続する。なお、滑らかに連続するとは、微分可能性を保ったまま、換言すると、先鋭化した部分ができない状態で連続されることを示す。さらに説明すると、第１上筒分割体３１１の径方向内面と第１支持枠部３３１の径方向内面とを連続させた曲面は、中心軸Ｊ１を中心とする円筒状である。
【００２４】
第１支持枠部３３１の一部は、第２部材３０ｂの径方向内面に形成された後述の第２収容部３９に挿入される。そして、第１支持枠部３３１を第２収容部３９に挿入したとき、第１支持枠部３３１の径方向内面と第２部材３０ｂの径方向内面とは、滑らかに連続する。これにより、第１支持枠部３３１の径方向内面と第２部材３０ｂの径方向内面との接続部分で気流が乱れにくい。
【００２５】
第１支持枠部３３１の径方向外面には第１凸部３３５が設けられる。第１凸部３３５は、第１支持枠部３３１の径方向外面から径方向外方に突出する。なお、第１凸部３３５の延びる方向は、例えば、第１支持枠部３３１を第２収容部３９に挿入するときの挿入方向である。そして、第１凸部３３５は、第２収容部３９に設けられた第９貫通部３９１に挿入される。
【００２６】
なお、第１凸部３３５を、軸方向外端部に径方向内側に向かうにつれて周方向幅が大きくなる楔形のストッパを先端に備えた、スナップフィット形状としてもよい。第１凸部３３５をスナップフィット形状とすることで、第１凸部３３５を第２貫通部３９１に挿入したのち、抜けにくくなる。これにより、第１部材３０ａが第２部材３０ｂから離れにくくなる。
【００２７】
第１ベース部３３２は、上筒部３１の内部の下端部に配置される。第１ベース部３３２には、第１ファン部１０が取り付けられる。第１ベース部３３２の径方向外面は、第１上筒分割体３１１の径方向内面および第１支持枠部３３１の径方向内面と間隔をあけて径方向に対向する。第１ベース部３３２の径方向外面と、第１上筒分割体３１１の径方向内面および第１支持枠部３３１の径方向内面との隙間は、第１ファン部１０の回転によって発生した気流が流れる流路の一部を構成する。
【００２８】
第１リブ３３３は、複数備えられる。複数の第１リブ３３３は、第１ベース部３３２の径方向外面と、第１上筒分割体３１１の径方向内面および第１支持枠部３３１の径方向内面とを連結する。すなわち、第１リブ３３３は、第１ベース部３３２と第１支持枠部３３１とを径方向に連結する。さらに説明すると、第１ベース部３３２は、第１リブ３３３に支持される。なお、複数の第１リブ３３３は、周方向に等間隔で配置される。第１リブ３３３は、気流の流路内に配置されており、周方向に傾けて、気流を整流する静翼形状であってもよい。
【００２９】
第１ベース部３３２は、中心が中心軸Ｊ１と一致する。そして、第１ベース部３３２の上面は中心軸Ｊ１と直交する。第１軸受保持部３３４は、第１ベース部３３２の上面の径方向中央部から軸方向に沿って上方に延びる。第１軸受保持部３３４は、筒状であり、中心が中心軸Ｊ１と重なる。第１軸受保持部３３４の内部には、第１ファン部１０の第１モータ部１１の２個の第１軸受１１０が軸方向に間隔をあけて配置される。
【００３０】
２個の第１軸受１１０は、玉軸受であり、第１軸受１１０の外輪は第１軸受保持部３３４の内周面に固定される。第１軸受１１０の内輪および外輪は、中心が中心軸Ｊ１と重なる。そして、内輪には後述する第１シャフト１１７が固定される。第１シャフト１１７は、第１軸受１１０を介して、第１軸受保持部３３４の内部に回転可能に支持される。また、第１シャフト１１７は中心が中心軸Ｊ１と重なり、第１シャフト１１７は中心軸Ｊ１周りに回転可能に支持される。
【００３１】
なお、本実施形態の送風装置１００では、第１シャフト１１７は、２個の第１軸受１１０にて支持されるがこれに限定されない。２個以上の第１軸受１１０にて支持されてもよい。また、本実施形態において、第１軸受１１０として、玉軸受としているが、これに限定されない。例えば、流体軸受等であってもよい。第１シャフト１１７の中心を中心軸Ｊ１と一致させるとともに、中心軸Ｊ１周りに回転可能に支持できる軸受を広く採用することができる。本実施形態において、２個の第１軸受１１０は玉軸受としているが、これに限定されない。例えば、１個の流体軸受等であってもよい。
【００３２】
第１軸受保持部３３４の外周面には、第１ステータ部１１１の後述する第１ステータコア１１４が取り付けられる。第１ステータコア１１４の第１軸受保持部３３４への固定は、第１ステータコア１１４のコアバックに第１軸受保持部３３４を圧入することで行われる。なお、第１ステータコア１１４と第１軸受保持部３３４との固定は、圧入に限定されない。例えば、接着、溶接、ねじ止め等で行うことも可能である。
【００３３】
＜３．２  第１ファン部１０＞
第１ファン部１０は、第１モータ部１１と、第１インペラ１２と、を備える。
【００３４】
＜３．２．１  第１モータ部１１＞
第１モータ部１１は、アウターロータ型のブラシレスＤＣモータである。第１モータ部１１は、第１インペラ１２を回転させる。図２等に示すように、第１モータ部１１は、第１ステータ部１１１と、第１ロータ部１１２と、第１回路基板１１３を有する。
【００３５】
＜３．２．２  第１ステータ部１１１＞
第１ステータ部１１１は、第１ステータコア１１４と、第１インシュレータ１１５と、第１コイル１１６と、を備える。第１ステータコア１１４は、電磁鋼板を軸方向に積層した積層体である。なお、第１ステータコア１１４は、電磁鋼板を積層した積層体に限定されず、例えば、紛体の焼成、鋳造等、単一の部材であってもよい。
【００３６】
第１ステータコア１１４は、環状のコアバックと、複数（ここでは、３個）のティースとを有する。３個のティースはコアバックの外周面から径方向外側に延びて放射状に形成される。これにより、３個のティースが周方向に配置される。なお、複数のティースは、周方向に等間隔で配置される。
【００３７】
上述したとおり、第１ステータコア１１４はハウジング部３０の第１軸受保持部３３４に固定される。なお、第１ステータコア１１４の第１軸受保持部３３４への固定は、第１軸受保持部３３４を第１ステータコア１１４のコアバックに圧入することで行われる。コアバックと第１軸受保持部３３４の固定は、圧入に限定されず、接着等、他の方法であってもよい。第１ステータコア１１４を、第１軸受保持部３３４に取り付けたとき、第１ステータコア１１４の中心は中心軸Ｊ１と重なる。
【００３８】
第１インシュレータ１１５は、第１ステータコア１１４の一部を覆う。第１インシュレータ１１５は、例えば、絶縁性を有する樹脂の成型体である。第１コイル１１６は、第１インシュレータ１１５が取り付けられた第１ステータコア１１４のティースに導線を巻きつけて形成される。第１インシュレータ１１５は、第１ステータコア１１４と第１コイル１１６とを絶縁する。
【００３９】
＜３．２．３  第１ロータ部１１２＞
第１ロータ部１１２は、第１シャフト１１７と、第１ロータヨーク１１８と、第１ロータマグネット１１９とを有する。第１シャフト１１７は、金属製であり、円柱状である。第１シャフト１１７は金属製に限定されない。また、内部に空間を有する円筒状であってもよい。
【００４０】
図２に示すように、第１ロータヨーク１１８は、ロータ蓋部１１８１と、シャフト固定部１１８２と、ロータ筒部１１８３とを有する。ロータ蓋部１１８１は、径方向中央に軸方向に貫通する貫通孔を有し、径方向に拡がる円環状である。シャフト固定部１１８２は、ロータ蓋部１１８１の貫通孔の辺縁から軸方向上方に延びる筒状である。なお、シャフト固定部１１８２は、ロータ蓋部１１８１の貫通孔の辺縁から軸方向下方に延びる構成であってもよい。ロータ筒部１１８３は、ロータ蓋部１１８１の径方向外縁から軸方向下方に延びる筒体である。
【００４１】
図２に示すように、第１軸受１１０を介して第１軸受保持部３３４に支持された第１シャフト１１７の上端は、第１軸受保持部３３４の上端よりも上方に位置する。第１ロータヨーク１１８のシャフト固定部１１８２が第１シャフト１１７の上端に固定される。なお、第１シャフト１１７とシャフト固定部１１８２との固定方法は、圧入を挙げることができるが、圧入に限定されず、接着等、他の方法であってもよい。
【００４２】
第１ロータマグネット１１９は、円筒形状である。第１ロータマグネット１１９は、第１ロータヨーク１１８のロータ筒部１１８３の内周面に固定される。第１ロータマグネット１１９はＮ極とＳ極とが周方向に交互に着磁されている。なお、円筒形状の第１ロータマグネット１１９に替えて、複数個の界磁用磁石を周方向に並べて配置してもよい。
【００４３】
上述したとおり、第１モータ部１１において、第１ステータ部１１１の第１ステータコア１１４は、第１軸受保持部３３４の外周面に固定される。また、第１ロータ部１１２の第１シャフト１１７は、第１軸受保持部３３４の内部に、第１軸受１１０を介して回転可能に支持される。第１シャフト１１７には、第１ロータマグネット１１９が固定された第１ロータヨーク１１８が取り付けられており、第１ロータ部１１２の第１ロータマグネット１１９は、第１ステータ部１１１の径方向外側に配置される。
【００４４】
つまり、第１ロータ部１１２の第１ロータマグネット１１９の径方向内面と、第１ステータコア１１４のティースの径方向外面とは、径方向に間隙をあけて対向する。この状態で、第１コイル１１６に電流を供給することで、第１コイル１１６は励磁され、第１コイル１１６と第１ロータマグネット１１９との間の磁力によって第１ロータ部１１２が回転する。
【００４５】
第１回路基板１１３は、中心軸Ｊ１に沿う軸方向において、第１ステータ部１１１よりも下方で第１ベース部３３２の上方に配置される。第１回路基板１１３は、例えば、第１インシュレータ１１５に保持される。しかしながら、第１回路基板１１３は、第１ベース部３３２に固定されてもよい。このとき、第１インシュレータ１１５に押えられてもよい。第１回路基板１１３は、第１コイル１１６の導線と接続される。そして、第１コイル１１６には、第１回路基板１１３を介して電流が供給される。すなわち、第１ファン部１０は、第１モータ部１１と、第１インペラ１２と、第１モータ部１１に電力を供給する第１回路基板１１３とを有する。
【００４６】
第１回路基板１１３には、外部に接続される第１導線１１３１が接続される。第１導線１１３１は、上筒部３１の第１分割部Ｂｎ１１に形成される第１導線引出部３１３を通って、上筒部３１の外部に引き出される。
【００４７】
＜３．２．４  第１インペラ１２＞
第１インペラ１２は、複数枚の羽根１２１と、カップ１２２とを有する。カップ１２２は、有蓋円筒状である。カップ１２２は、第１ロータヨーク１１８のロータ蓋部１１８１およびロータ筒部１１８３の外面に固定される。なお、筒部と第１ロータヨーク１１８との固定は、例えば、接着によって行われるが、これに限定されない。
【００４８】
複数枚の羽根１２１は、カップ１２２の外周面から径方向外側に突出する。複数枚の羽根１２１は、周方向に等間隔に並ぶ。羽根１２１は、周方向に傾斜している。第１インペラ１２が回転することで、軸方向に沿って上側から下側に流れる気流が発生する。換言すると、羽根１２１は、第１インペラ１２が決められた方向に回転したとき、上側から下側に気流を発生させる向きに傾斜している。
【００４９】
第１ファン部１０は、第１インペラ１２を第１ロータヨーク１１８に取り付けた状態で、上筒部３１の内部に配置される。つまり、第１モータ部１１および第１インペラ１２は、上筒部３１の内部に収容される。
【００５０】
このとき、羽根１２１の径方向外縁は、上筒部３１の内周面と隙間を介して径方向に対向する。そのため、第１インペラ１２が回転するときに、羽根１２１が上筒部３１の内周面と接触しない。また、羽根１２１の径方向外縁に隙間をあけて上筒部３１の内周面が対向するため、第１インペラ１２の回転によって、径方向外方に向かう気流は、軸方向下方に向かう。すなわち、上筒部３１は、第１インペラ１２が回転するときに、風洞の役割を果たす。なお、第１上筒分割体３１１と第２上筒分割体３１２とが滑らかに連続することで、接続部分での気流の乱れが抑制される。
【００５１】
＜３．３  上フランジ３５＞
図１等に示すように、上フランジ３５は、上筒部３１の外周面の軸方向上端から径方向外側に拡がる。すなわち、ハウジング部３０は、上筒部３１の軸方向上端の外周面から径方向外側に拡がる上フランジ３５を有する。上フランジ３５は、軸方向から見て正方形状である（図４参照）。上フランジ３５は、第１上フランジ部３５１と、第２上フランジ部３５２と、２つ（複数）の第１上取付孔３５３と、２つ（複数）の第２上取付孔３５４とを有する。
【００５２】
上フランジ３５は、第１上フランジ部３５１と、第２上フランジ部３５２とに分解される。第１上フランジ部３５１は第１部材３０ａに含まれ、第２上フランジ部３５２は第２部材３０ｂに含まれる。すなわち、上フランジ３５は、第１部材３０ａに含まれる第１上フランジ部３５１と、第２部材３０ｂに含まれる第２上フランジ部３５２とに分割される。
【００５３】
上フランジ３５を軸方向に見たとき、第１上フランジ部３５１と第２上フランジ部３５２とは、向かい合う辺を有する。そして、残りの辺のそれぞれに分割部分が設けられる。上フランジ３５の周方向の２箇所で分割された部分は、いずれも、第１上フランジ部３５１と第２上フランジ部３５２との向かい合う２辺のうち、第２上フランジ部３５２側の辺に近い位置に配される。
【００５４】
上フランジ３５は、２個の第１上取付孔３５３と、２個の第２上取付孔３５４とを有する。２個の第１上取付孔３５３は、上フランジ３５の上筒部３１の径方向外側に配置される。また、第２上取付孔３５４は、上フランジ３５の上筒部３１の径方向外側に配置される。２個の第１上取付孔３５３は、第１上フランジ部３５１に配置される。また、２個の第２上取付孔３５４は、第２上フランジ部３５２に配置される。
【００５５】
第１上取付孔３５３および第２上取付孔３５４には、ボルト等の固定具（不図示）が挿入される。ボルトを送風装置１００が取り付けられる外部機器（不図示）に設けられた雌ねじ（不図示）にねじ込むことで、送風装置１００を外部機器に固定される。固定具は、ボルトに限定されず、各取付孔を貫通するとともに、送風装置１００を外部機器に強固に固定できる構成を広く採用できる。すなわち、第１上フランジ部３５１は、固定具を取り付ける第１上取付孔３５３を複数有し、第２上フランジ部３５２は、固定具を取り付ける第２上取付孔３５４を複数有する。
【００５６】
第１部材３０ａの内周面の第１下筒分割体３２１の径方向内面の上端部は、径方向外側に凹む第１収容部３８が形成される。第１収容部３８には、第２部材３０ｂの後述する第２支持枠部３４１が挿入される。すなわち、第１部材３０ａは、第１下筒分割体３２１の径方向内面の上端部に形成されて径方向外側に凹み、第２支持枠部３４１の一部が収容される第１収容部３８を有する。
【００５７】
第１収容部３８には、径方向に貫通する第１貫通部３８１が形成されている。第１貫通部３８１には、第２支持枠部３４１の径方向外面に設けられた第２凸部３４５が挿入される。すなわち、収容部３８は、径方向に貫通する貫通部３８１を有し、第２支持枠部３４１の径方向外面は、貫通部３８１に挿入可能な凸部３４５を有する。第１収容部３８に第２支持枠部３４１を挿入することで、第２部材３０ｂを第１部材３０ａに対して、軸方向に位置決めできる。また、第１部材３０ａと第２部材３０ｂとを強固に組み合わせることが可能である。また、第１貫通部３８１に第２凸部３４５を挿入することで、周方向の移動を抑制できる。
【００５８】
＜４．  下筒部３２＞
下筒部３２は上筒部３１と同様円筒状であり、周方向に分割可能である。下筒部３２を分割した一方が第１下筒分割体３２１であり、他方が第２下筒分割体３２２である。第１下筒分割体３２１は、第１部材３０ａに含まれる。第２下筒分割体３２２は、第２部材３０ｂに含まれる。なお、上筒部３１と下筒部３２とは滑らかに連続する。これにより、上筒部３１から下筒部３２に気流が流れるときに、気流が乱れにくい。下筒部３２の周方向の２箇所で分割された部分のうち一方を第３分割部Ｂｎ２１、他方を第４分割部Ｂｎ２２とする。
【００５９】
＜４．１  第２ファン支持部３４＞
第２ファン支持部３４は、下筒部３２の内部の軸方向下端部に配置される。第２ファン支持部３４は、第２ファン部２０を支持する。第２ファン支持部３４は、第２支持枠部３４１と、第２ベース部３４２と、第２リブ３４３と、第２軸受保持部３４４と、第２凸部３４５とを有する。
【００６０】
第２支持枠部３４１は、中心軸Ｊ１を中心とする円筒を周方向に切断したアーチ状である。第２支持枠部３４１の周方向両端は、それぞれ、第２下筒分割体３２２の上端部の周方向端部と接続される。すなわち、第２支持枠部３４１は、前記中心軸を中心とする筒体を周方向に切断したアーチ状であり、第２下筒分割体３２２の軸方向上端部の周方向両端を連結する。
【００６１】
第２下筒分割体３２２の径方向内面と第２支持枠部３４１の径方向内面とは、滑らかに連続する。さらに説明すると、第２下筒分割体３２２の径方向内面と第２支持枠部３４１の径方向内面とを連続させた曲面は、中心軸Ｊ１を中心とする円筒状である。
【００６２】
第２支持枠部３４１の一部は、第１部材３０ａの径方向内面に形成された第１収容部３８に挿入される。そして、第２支持枠部３４１を第１収容部３８に挿入したとき、第２支持枠部３４１の径方向内面と第１部材３０ａの径方向内面とは、滑らかに連続する。これにより、第２支持枠部３４１の径方向内面と第１部材３０ａの径方向内面との接続部分で気流が乱れにくい。
【００６３】
第２支持枠部３４１の径方向外面には第２凸部３４５が設けられる。第２凸部３４５は、第２支持枠部３４１の径方向外面から径方向外方に突出する。なお、第２凸部３４５の延びる方向は、例えば、第２支持枠部３４１を第１収容部３８に挿入するときの挿入方向である。そして、第２凸部３４５は、第１収容部３８に設けられた第１貫通部３８１に挿入される。
【００６４】
なお、第２凸部３４５を、径方向外端に径方向内方に向かうにつれて周方向幅が大きくなる楔形のストッパを先端に備えた、スナップフィット形状としてもよい。第２凸部３４５をスナップフィット形状とすることで、第２凸部３４５を第１貫通部３８１に挿入したのち、抜けにくくなる。これにより、第２部材３０ｂが第１部材３０ａから離れにくくなる。
【００６５】
第２ベース部３４２は、下筒部３２の内部の上端部に配置される。第２ベース部３４２には、第２ファン部２０が取り付けられる。第２ベース部３４２の径方向外面は、第１下筒分割体３２１の径方向内面および第２支持枠部３４１の径方向内面と間隔をあけて径方向に対向する。第２ベース部３４２の径方向外面と第１下筒分割体３２１の径方向内面および第２支持枠部３４１の径方向内面との隙間は、第２ファン部２０の回転によって発生した気流が流れる流路の一部を構成する。
【００６６】
第２リブ３４３は、複数備えられる。複数の第２リブ３４３は、第２ベース部３４２の径方向外面と、第１下筒分割体３２１の径方向内面および第２支持枠部３４１の径方向内面とを連結する。すなわち、第２リブ３４３は、第２ベース部３４２と第２支持枠部３４１とを径方向に連結する。さらに説明すると、第２ベース部３４２は、第２リブ３４３に支持される。なお、複数の第２リブ３４３は、周方向に等間隔で配置される。第２リブ３４３は、気流の流路内に配置されており、周方向に傾けて、気流を整流する静翼形状であってもよい。
【００６７】
第２ベース部３４２は、中心が中心軸Ｊ１と一致する。そして、第２ベース部３４２の上面は中心軸Ｊ１と直交する。第２軸受保持部３４４は、第２ベース部３４２の下面の径方向中央部から軸方向に沿って下方に延びる。第２軸受保持部３４４は、筒状であり、中心が中心軸Ｊ１と重なる。第２軸受保持部３４４の内部には、２個の第２軸受２１０が軸方向に間隔をあけて配置される。
【００６８】
２個の第２軸受２１０は、玉軸受であり、第２軸受２１０の外輪は第２軸受保持部３４４の内周面に固定される。第２軸受２１０の内輪および外輪は、中心が中心軸Ｊ１と重なる。そして、内輪は第２シャフト２１７に固定される。これにより、第２シャフト２１７は、第２軸受２１０を介して、第２軸受保持部３４４の内部に回転可能に支持される。また、第２シャフト２１７は中心が中心軸Ｊ１と重なり、第２シャフト２１７は中心軸Ｊ１周りに回転可能に支持される。
【００６９】
なお、本実施形態の送風装置１００では、第２シャフト２１７は、２個の第２軸受２１０にて支持されるがこれに限定されない。２個以上の第２軸受２１０にて支持されてもよい。また、本実施形態において、第２軸受２１０として、玉軸受としているが、これに限定されない。例えば、流体軸受等であってもよい。第２シャフト２１７の中心を中心軸Ｊ１と一致させるとともに、中心軸Ｊ１周りに回転可能に支持できる軸受を広く採用することができる。
【００７０】
また、第２軸受保持部３４４の外周面には、第２ステータ部２１１の第２ステータコア２１４が取り付けられる。第２ステータコア２１４の第２軸受保持部３４４への固定は、第２ステータコア２１４のコアバックに第２軸受保持部３４４を圧入することで行われる。なお、第２ステータコア２１４と第２軸受保持部３４４との固定は、圧入に限定されない。例えば、接着、溶接、ねじ止め等で行うことが可能である。
【００７１】
第２凸部３４５は第２支持枠部３４１の径方向外面に設けられ、径方向外面から径方向外方に突出する。第２凸部３４５は、第１部材３０ａに設けられた第１収容部３８の第１貫通部３８１に挿入される。
【００７２】
＜４．２  第２ファン部２０＞
第２ファン部２０は、第２モータ部２１と、第２インペラ２２と、を備える。
【００７３】
＜４．２．１  第２モータ部２１＞
第２モータ部２１は、アウターロータ型のブラシレスＤＣモータである。第２モータ部２１は、第２インペラ２２を回転させる。図２等に示すように、第２モータ部２１は、第２ステータ部２１１と、第２ロータ部２１２と、第２回路基板２１３を有する。
【００７４】
＜４．２．２  第２ステータ部２１１＞
第２ステータ部２１１は、第２ステータコア２１４と、第２インシュレータ２１５と、第２コイル２１６と、を備える。第２ステータコア２１４は、電磁鋼板を軸方向に積層した積層体である。なお、第２ステータコア２１４は、電磁鋼板を積層した積層体に限定されず、例えば、紛体の焼成、鋳造等、単一の部材であってもよい。
【００７５】
第２ステータコア２１４は、環状のコアバックと、複数（ここでは、３個）のティースとを有する。３個のティースはコアバックの外周面から径方向外側に延びて放射状に形成される。これにより、３個のティースが周方向に配置される。なお、複数のティースは、周方向に等間隔で配置される。
【００７６】
上述したとおり、第２ステータコア２１４はハウジング部３０の第２軸受保持部３４４に固定される。なお、第２ステータコア２１４の第２軸受保持部３４４への固定は、第２軸受保持部３４４を第２ステータコア２１４のコアバックに圧入することで行われる。コアバックと第２軸受保持部３４４の固定は、圧入に限定されず、接着等、他の方法であってもよい。第２ステータコア２１４を、第２軸受保持部３４４に取り付けたとき、第２ステータコア２１４の中心は中心軸Ｊ１と重なる。
【００７７】
第２インシュレータ２１５は、第２ステータコア２１４の一部を覆う。第２インシュレータ２１５は、例えば、絶縁性を有する樹脂の成型体である。第２コイル２１６は、第２インシュレータ２１５が取り付けられた第２ステータコア２１４のティースに導線を巻きつけて形成される。第２インシュレータ２１５は、第２ステータコア２１４と第２コイル２１６とを絶縁する。
【００７８】
＜４．２．３  第２ロータ部２１２＞
第２ロータ部２１２は、第２シャフト２１７と、第２ロータヨーク２１８と、第２ロータマグネット２１９とを有する。第２シャフト２１７は、金属製であり、円柱状である。第２シャフト２１７は金属製に限定されない。また、内部に空間を有する円筒状であってもよい。
【００７９】
図２に示すように、第２ロータヨーク２１８は、ロータ蓋部２１８１と、シャフト固定部２１８２と、ロータ筒部２１８３とを有する。ロータ蓋部２１８１は、径方向中央に軸方向に貫通する貫通孔を有し、径方向に拡がる円環状である。シャフト固定部２１８２は、ロータ蓋部２１８１の貫通孔の辺縁から軸方向上方に延びる筒状である。なお、シャフト固定部２１８２は、ロータ蓋部２１８１の貫通孔の辺縁から軸方向下方に延びる構成であってもよい。ロータ筒部２１８３は、ロータ蓋部２１８１の径方向外縁から軸方向下方に延びる筒体である。
【００８０】
図２に示すように、第２軸受２１０を介して第２軸受保持部３４４に支持された第２シャフト２１７の上端は、第２軸受保持部３４４の上端よりも上方に位置する。第２ロータヨーク２１８のシャフト固定部２１８２が第２シャフト２１７の上端に固定される。なお、第２シャフト２１７とシャフト固定部２１８２との固定方法は、圧入を挙げることができるが、圧入に限定されず、接着等、他の方法であってもよい。
【００８１】
第２ロータマグネット２１９は、円筒形状である。第２ロータマグネット２１９は、第２ロータヨーク２１８のロータ筒部２１８３の内周面に固定される。第２ロータマグネット２１９はＮ極とＳ極とが周方向に交互に着磁されている。なお、円筒形状の第２ロータマグネット２１９に替えて、複数個の界磁用磁石を周方向に並べて配置してもよい。
【００８２】
上述したとおり、第２モータ部２１において、第２ステータ部２１１の第２ステータコア２１４は、第２軸受保持部３４４の外周面に固定される。また、第２ロータ部２１２の第２シャフト２１７は、第２軸受保持部３４４の内部に、第２軸受２１０を介して回転可能に支持される。第２シャフト２１７には、第２ロータマグネット２１９が固定された第２ロータヨーク２１８が取り付けられており、第２ロータ部２１２の第２ロータマグネット２１９は、第２ステータ部２１１の径方向外側に配置される。
【００８３】
つまり、第２ロータ部２１２の第２ロータマグネット２１９の径方向内面と、第２ステータコア２１４のティースの径方向外面とは、径方向に間隙をあけて対向する。この状態で、第２コイル２１６に電流を供給することで、第２コイル２１６は励磁され、第２コイル２１６と第２ロータマグネット２１９との間の磁力によって第２ロータ部２１２が回転する。
【００８４】
第２回路基板２１３は、中心軸Ｊ１に沿う軸方向において、第２ステータ部２１１よりも上方で第２ベース部３４２の下方に配置される。第２回路基板２１３は、例えば、第２インシュレータ２１５に保持される。しかしながら、第２回路基板２１３は、第２ベース部３４２に固定されてもよい。このとき、第２インシュレータ２１５に押えられてもよい。第２回路基板２１３は、第２コイル２１６の導線と接続される。そして、第２コイル２１６には、第２回路基板２１３を介して電流が供給される。すなわち、第２ファン部２０は、第２モータ部２１と、第２インペラ２２と、第２モータ部２１に電力を供給する第２回路基板２１３とを有する。
【００８５】
＜４．２．４  第２インペラ２２＞
第２インペラ２２は、複数枚の羽根２２１と、カップ２２２とを有する。カップ２２２は、有蓋円筒状である。カップ２２２は、第２ロータヨーク２１８のロータ蓋部２１８１およびロータ筒部２１８３の外面に固定される。なお、カップ２２２と第２ロータヨーク２１８との固定は、例えば、接着によって行われるが、これに限定されない。
【００８６】
複数枚の羽根２２１は、カップ２２２の外周面から径方向外側に突出する。複数枚の羽根２２１は、周方向に等間隔に並ぶ。羽根２２１は、周方向に傾斜している。第２インペラ２２が回転することで、軸方向に沿って上側から下側に流れる気流が発生する。換言すると、羽根２２１は、第２インペラ２２が決められた方向に回転したとき、上側から下側に気流を発生させる向きに傾斜している。
【００８７】
第２ファン部２０は、第２インペラ２２を第２ロータヨーク２１８に取り付けた状態で、下筒部３２の内部に配置される。つまり、第２モータ部２１および第２インペラ２２は、下筒部３２の内部に収容される。
【００８８】
このとき、羽根２２１の径方向外縁は、下筒部３２の内周面と隙間を介して径方向に対向する。そのため、第２インペラ２２が回転するときに、羽根２２１が下筒部３２の内周面と接触しない。また、羽根２２１の径方向外縁に隙間をあけて下筒部３２の内周面が対向するため、第２インペラ２２の回転によって、径方向外方に向かう気流は、軸方向下方に向かう。すなわち、下筒部３２は、第２インペラ２２が回転するときに、風洞の役割を果たす。なお、第１下筒分割体３２１と第２下筒分割体３２２とが滑らかに連続することで、接続部分での気流の乱れが抑制される。
【００８９】
＜４．３  下フランジ３６＞
図１等に示すように、下フランジ３６は、下筒部３２の外周面の軸方向下端から径方向外側に拡がる。ハウジング部３０は下筒部３６の軸方向下端の外周面から径方向外側に拡がる下フランジ３６を有する。下フランジ３６は、軸方向から見て正方形状である（図５参照）。下フランジ３６は、第１下フランジ部３６１と、第２下フランジ部３６２と、第１下取付孔３６３と、第２下取付孔３６４とを有する。
【００９０】
下フランジ３６は、第１下フランジ部３６１と、第２下フランジ部３６２とに分解される。第１下フランジ部３６１は第１部材３０ａに含まれ、第２下フランジ部３６２は第２部材３０ｂに含まれる。すなわち、下フランジ部３６は、第１部材３０ａに含まれる第１下フランジ部３６１と、第２部材３０ｂに含まれる第２下フランジ部３６２とに分割される。
【００９１】
下フランジ３６を軸方向に見たとき、第１下フランジ部３６１と第２下フランジ部３６２とは、向かい合う辺を有する。そして、残りの辺のそれぞれに分割部分が設けられる。下フランジ３６の周方向の２箇所で分割された部分の一方（第４分割部Ｂｎ２２）は、第１下フランジ部３６１と第２下フランジ部３６との向かい合う２辺のうち、第１下フランジ部３６１側の辺に近い位置に配される。また、下フランジ３６の分割部分の他方（第３分割部Ｂｎ２１）は、第１下フランジ部３６１と第２下フランジ部３６との向かい合う２辺のうち、第２下フランジ部３６２側の辺に近い位置に配される。
【００９２】
下フランジ３６は、２個の第１下取付孔３６３と、２個の第２下取付孔３６４とを有する。２個の第１下取付孔３６３は、下フランジ３６の隣り合う２個の角部の近傍に配置される。また、第２下取付孔３６４は、下フランジ３６の残りの２個の角部の近傍に配置される。そして、２個の第１下取付孔３６３は、第１下フランジ部３６１に配置される。また、２個の第２下取付孔３６４は、第２下フランジ部３６２に配置される。
【００９３】
第１下取付孔３６３および第２下取付孔３６４には、ボルト等の固定具（不図示）が挿入される。送風装置１００が取り付けられる外部機器（不図示）に設けられた雌ねじ（不図示）にボルトをねじ込むことで、送風装置１００を外部機器に固定される。すなわち、第１下フランジ部３６１は、固定具を取り付ける第１下取付孔３６３を複数有し、第２下フランジ部３６２は、固定具を取り付ける第２下取付孔３６４を複数有する。
【００９４】
第２部材３０ｂの内周面の第２上筒分割体３１２の径方向内面の上端部は、径方向外側に凹む第２収容部３９が形成される。第２収容部３９には、第１部材３０ａの第１支持枠部３３１の一部が挿入される。すなわち、第２部材３０ｂは、第２上筒分割体３１２の径方向内面の上端部に形成されて径方向外側に凹み、第１支持枠部３３１の一部が収容される第２収容部３９を有する。
【００９５】
第２収容部３９には、径方向に貫通する第２貫通部３９１が形成されている。第２貫通部３９１には、第１支持枠部３３１の径方向外面に設けられた第１凸部３３５が挿入される。すなわち、収容部３９は、径方向に貫通する貫通部３９１を有し、第１支持枠部３３１の径方向外面は、貫通部３９に挿入可能な凸部３３５を有する。第２収容部３９に第１支持枠部３３１を挿入の一部を挿入することで、第１部材３０ａを第２部材３０ｂに対して、軸方向に位置決めできる。また、第１部材３０ａと第２部材３０ｂとを強固に組み合わせることが可能である。また、第２貫通部３９１に第１凸部３３５を挿入することで、周方向の移動を抑制できる。
【００９６】
＜５．  中央フランジ３７＞
ハウジング部３０は、軸方向における中央部の外周面から径方向に拡がる中央フランジ３７を有する。中央フランジ３７は、軸方向から見て正方形状である。中央フランジ３７は、第１中央フランジ３７１と、第２中央フランジ３７２と、第１中央取付孔３７３と、第２中央取付孔３７４とを有する。
【００９７】
中央フランジ３７は、第１中央フランジ部３７１および第２中央フランジ部３７２に分割可能である。第１中央フランジ部３７１は、第１部材３０ａに含まれる。第２中央フランジ部３７２は、第２部材３０ｂに含まれる。第１中央フランジ部３７１と、第２中央フランジ３７２とは、軸方向から見たときの大きさが同じである。なお、大きさが同じとは、完全に同じである場合だけでなく、略同じであることを含むものである。すなわち、ハウジング部３０は、第１部材３０ａの軸方向中間部の外周面に径方向外側に拡がる第１中央フランジ部３７１を有し、第２部材３０ｂの軸方向中間部の外周面に径方向外側に拡がる第２中央フランジ部３７２を有する。なお、軸方向中間部は、軸方向の中央であってもよいし、中央から外れていてもよい。
【００９８】
第１中央取付孔３７３および第２中央取付孔３７４は、複数（ここでは、２個）設けられる。２個の第１中央取付孔３７３および２個の第２中央取付孔３７４は、それぞれ、軸方向から見たときに正方形状の中央フランジ３７の角部の近傍に配置される。
【００９９】
本実施形態にかかる中央フランジ３７では、２個の第１中央取付孔３７３は隣り合う角部の近傍に配置され、２個の第２中央取付孔３７４は、残りの２個の隣り合う角部の近傍に配置される。そして、第１中央取付孔３７３は第１中央フランジ３７１に含まれ、第２中央取付孔３７４は第２中央フランジ３７２に含まれる。すなわち、第１中央フランジ部３７１は、第１中央取付孔３７３を複数有し、第２中央フランジ部３７２は、第２中央取付孔３７４を複数有する。
【０１００】
第１中央取付孔３７３および第２中央取付孔３７４は、第１上取付孔３５３および第２上取付孔３５４、または、第１下取付孔３６３および第２下取付孔３６４の少なくとも一方と、共締めされる。これにより、送風装置１００を外部機器に強固に固定できる。
【０１０１】
上述したとおり、上フランジ３５、下フランジ３６および中央フランジ３７は、いずれも正方形状であり、軸方向から見て重なる形状としている。しかしながら、これに限定されず、軸方向から見て重ならない配置であってもよい。また、正方形に限定されず、六角形状、八角形状等、多角形状であってもよい。フランジの各角部には、取付孔が設けられる。また、各フランジは、円形、楕円形等であってもよい。これらの場合であっても、各フランジの第１部材および第２部材に分割される部分には、少なくとも２個の取付孔が設けられてもよい。
【０１０２】
＜６．  第１部材３０ａおよび第２部材３０ｂ＞
上述のとおり、ハウジング部３０は、第１部材３０ａと第２部材３０ｂとに分割可能である。第１部材３０ａと第２部材３０ｂとは、中心軸Ｊ１と直交する方向に移動して、結合または分割可能な構造である。
【０１０３】
第１部材３０ａは、第１上筒分割体３１１と、第１下筒分割体３２１と、第１ファン支持部３３と、第１上フランジ部３５１と、第１下フランジ部３６１と、第１中央フランジ３７１とを有する。第２部材３０ｂは、第２上筒分割体３１２と、第２下筒分割体３２２と、第２ファン支持部３４と、第２上フランジ部３５２と、第２下フランジ部３６２と、第２中央フランジ３７２とを有する。
【０１０４】
すなわち、ハウジング部３０は、第１上筒分割体３１１と、第１下筒分割体３２１と、第１ファン支持部３３とを有する第１部材３０ａと、第２上筒分割体３１２と、第２下筒分割体３２２と、第２ファン支持部３４とを有する第２部材３０ｂと、に分割可能である。
【０１０５】
上筒部３１は、第１分割部Ｂｎ１１および第２分割部Ｂｎ１２で第１上筒分割体３１１と第２上筒分割体３１２とに周方向に分割される。また、下筒部３２は、第３分割部Ｂｎ２１および第４分割部Ｂｎ２２で第１下筒分割体３２１と第２下筒分割体３２２とに周方向に分割される。すなわち、上筒部３１は、第１上筒分割体３１１と第２上筒分割体３１２とに周方向に分割可能である。下筒部３２は、第１下筒分割体３２１と第２下筒分割体３２２とに周方向に分割可能である。
【０１０６】
ハウジング部３０が、上筒部３１および下筒部３２を周方向に分割する第１部材３０ａと第２部材３０ｂとを有する構成であるため、ハウジング部３０の分割部（組み合わせ部分）が、軸方向に分割する構成に比べて広く分布する。そのため、分割部に応力が集中しにくく、ハウジング部３０の強度を高めることができる。
【０１０７】
図１、図３等に示すように、第１分割部Ｂｎ１１および第３分割部Ｂｎ２１は、それぞれ、軸方向に重なる位置に形成される。上筒部３１の第１分割部Ｂｎ１１には、第１導線引出部３１３が形成され、第１回路基板１１３に接続された第１導線１１３１が引き出される。また、下筒部３２の第３分割部Ｂｎ２１には、第２導線引出部３２３が形成され、第２回路基板２１３に接続された第２導線２１３１が引き出される。第１導線引出部３１３と第２導線引出部３２３とは、軸方向に重なる位置に形成される。そのため、第１導線１１３１および第２導線２１３１のハウジング部３０の外部に引き出した後の取り回しが容易であり、導線の処理の手間を省くことが可能である。
【０１０８】
なお、第１導線引出部３１３と第２導線引出部３２３とは、ハウジング部３０において、軸方向に並んで形成される。そのため、第１回路基板１１３および第２回路基板２１３の両方に、第１導線引出部３１３および第２導線引出部３２３と対向するコネクタを設けることで、ハウジング部３０の外部から共通のコネクタで、接続することも可能である。すなわち、第１回路基板１１３および第２回路基板２１３とは、同一のコネクタで接続されてもよい。第１導線１１３１と第１回路基板１１３との接続および第２導線２１３１と第２回路基板２１３との接続を１つのコネクタで行う構成とすることで、外部機器との電気接続が容易になる。
【０１０９】
一方、第２分割部Ｂｎ１２と第４分割部Ｂｎ２２とは、軸方向に見たときに周方向に異なる位置に形成される（図４、図５参照）。すなわち、軸方向から見たとき、第１上筒分割体３１１の周方向の両端の少なくとも一方Ｂｎ１２は、第１下筒分割体３２１の周方向の両端Ｂｎ２１、Ｂｎ２２のいずれとも重ならない。第２分割部Ｂｎ１２と第４分割部Ｂｎ２２とが周方向にずれていることで、第１部材３０ａと第２部材３０ｂの分割部分に集中する応力を周方向に分散させることが可能である。これにより、ハウジング部３０の強度を高めることが可能である。
【０１１０】
また、ハウジング部３０の組み立ては、次のとおりである。図６、図７に示すように、第１支持枠部３３１の軸方向下面の一部と第２支持枠部３４１の軸方向上面の一部とを軸方向に対向させ、第１部材３０ａおよび第２部材３０ｂの一方またはその両方を、中心軸Ｊ１と直交して他方に接近する方向に移動させる。
【０１１１】
第１部材３０ａと第２部材３０ｂとが一定距離以内に接近すると、第１部材３０ａの第１支持枠部３３１の一部（上述した移動方向の先端部）が第２部材３０ｂの第２収容部３９に挿入される。同様に、第２部材３０ｂの第２支持枠部３４１の一部（上述した移動方向の先端部）が第１部材３０ａの第１収容部３８に挿入される。
【０１１２】
第１部材３０ａおよび第２部材３０ｂの距離がさらに接近すると、第１支持枠部３３１の外周面に設けられた第１凸部３３５が第２収容部３９の第２貫通部３９１に挿入される。さらに移動させることで、第１上筒分割体３１１と第２上筒分割体３１２とが組み合わされて上筒部３１が形成される。同時に第１下筒分割体３２１と第２下筒分割体３２２とも組み合わされて下筒部３２が形成される。
【０１１３】
第１部材３０ａと第２部材３０ｂとを完全に組み合わせたとき、第１軸受保持部３３４および第２軸受保持部３４４の中心が、中心軸Ｊ１と重なる。これにより、第１ファン部１０と第２ファン部２０とは、中心が中心軸Ｊ１と重なるとともに、中心軸Ｊ１周りに回転可能となる。
【０１１４】
送風装置１００を組み立てる場合、第１ファン部１０を第１部材３０ａの第１ファン支持部３３に取り付け、第２ファン部２０を第２部材３０ｂの第２ファン支持部３４に取り付けた状態で第１部材３０ａと第２部材３０ｂとを上述したとおりに組み合わせる。図４等に示すように、下筒部３２を分割する第３分割部Ｂｎ２１および第４分割部Ｂｎ２２は、中心軸Ｊ１を挟んで反対側に配置される。そのため、移動方向によっては、第１下筒分割体３２１が第２ファン部２０の第２インペラ２２と干渉する虞がある。
【０１１５】
そのため、送風装置１００の組み立て時は、軸方向に見たとき第３分割部Ｂｎ２１の径方向の内縁と第４分割部Ｂｎ２２の径方向の内縁とを結ぶ線と直交する方向に移動することで、第１部材３０ａと第２部材３０ｂとが組み合わせられる。なお、ここで直交には、略直交も含まれる。そして、第１凸部３３５、第２凸部３４５、第１収容部３８、第１貫通部３８１、第２収容部３９の形状を決定してもよい。
【０１１６】
第１部材３０ａの第１ファン支持部３３に第１ファン部１０を取り付けたとき、第１ファン部１０は、第１上筒分割体３１１に周方向の一部が覆われる。つまり、第１部材３０ａに第１ファン部１０を取り付けたとき、第１ファン部１０の径方向外側の一部が、径方向に露出する。そのため、第１部材３０ａに第１ファン部１０を取り付けた状態で、第１ファン部１０のバランス調整を容易に行うことが可能である。
【０１１７】
第２ファン部２０も同様である。つまり、第２部材３０ｂの第２ファン支持部３４に第２ファン部２０を取り付けたとき、第２ファン部２０は、第２下筒分割体３２２に周方向の一部が覆われる。つまり、第２部材３０ｂに第２ファン部２０を取り付けたとき、第２ファン部２０の径方向外側の一部が、径方向に露出する。そのため、第２部材３０ｂに第２ファン部２０を取り付けた状態で、第２ファン部２０のバランス調整を容易に行うことが可能である。
【０１１８】
第１ファン部１０および第２ファン部２０は、実際の駆動状態に近い状態でのバランス調整が可能であるため、安定してかつ円滑に回転する。これにより、第１ファン部１０および第２ファン部２０で発生する気流の流速または圧力のむらができにくく、送風効率が高くなる。
【０１１９】
また、ハウジング部３０（送風装置１００）は、第１部材３０ａと第２部材３０ｂとを中心軸と交差する方向に滑らせて組み立てることが可能である。つまり、ハウジング部３０の組み立て動作が、１軸方向の移動でよく、組み立てが容易である。ねじり等の複雑な動作が含まれないため、組み立ての自動化に有利である。
【０１２０】
以上示したとおり、組み立てられた送風装置１００は、ボルト等の固定具にて外部機器（不図示）に固定される。例えば、上フランジ３５の第１上取付孔３５３、中央フランジ３７の第１中央取付孔３７３および下フランジ３６の第１下取付孔３６３の順にボルトを通し、外部機器にねじ止めにて固定する。同様に、上フランジ３５の第２上取付孔３５４、中央フランジ３７の第２中央取付孔３７４および下フランジ３６の第２下取付孔３６４の順にボルトを通し、外部機器にねじ止めにて固定する。
【０１２１】
また、上フランジ３５と中央フランジ３７の間に配置されて、上フランジ３５の第１上取付孔３５３と中央フランジ３７の第１中央取付孔３７３と軸方向に重なる筒部を有してもよい。また、上フランジ３５の第２上取付孔３５４と中央フランジ３７の第２中央取付孔３７４と軸方向に重なる筒部を有してもよい。下フランジ３６と中央フランジ３７の間に配置されて、下フランジ３６の第１下取付孔３６３と中央フランジ３７の第１中央取付孔３７３と軸方向に重なる筒部を有してもよい。
【０１２２】
さらに、下フランジ３６の第２下取付孔３６５４と中央フランジ３７の第２中央取付孔３７４と軸方向に重なる筒部を有してもよい。これらの筒部を設けることで、各フランジが補強されてねじ止め時の固定をより強固に行うことが可能である。なお、筒部は、ハウジング部３０と一体であってもよいし、ハウジング部３０とは独立した部材であってもよい。ハウジング部３０と独立した部材の場合、上述の固定用のボルト以外の固定方法を用いて、あらかじめハウジング部３０に固定されていてもよい。
【０１２３】
下フランジ３６が外部機器に接触してあるいは近接した状態で、送風装置１００が外部機器に取り付けられる。上フランジ３５、中央フランジ３７および下フランジ３６をボルトが貫通するため、送風装置１００が強固に固定される。そのため、動作時の振動、気流の圧力変動等による力が作用しても送風装置１００の固定が緩みにくい。これにより、送風装置１００は、長期間にわたり安定して送風することが可能である。
【０１２４】
なお、ボルトを通す順番を逆にして、上フランジ３５を外部機器に接触させてもよい。
【０１２５】
また、ハウジング部３０は軸に沿う面を切断面として分割される構成である。そのため、送風装置１００に振動、衝撃等の外力が作用しても、上筒部３１および第１ファン部１０を含む上側の送風装置部と、下筒部３２および第２ファン部２０を含む下側の送風装置部が分離しない。このことから、上フランジ３５および下フランジ３６のいずれか一つだけを、外部機器に固定した場合であっても、送風装置１００は分離しない。このため、送風装置１００は、長期間にわたり安定して、動作することが可能である。
【０１２６】
＜７．１  第１変形例＞
本実施形態にかかる送風装置の変形例について図面を参照して説明する。図８は、本発明にかかる送風装置の第１変形例の斜視図である。図８に示す送風装置１００ａは、ハウジング部３０１が中央フランジ３７有していない点で、送風装置１００と異なる。これ以外の点において、送風装置１００ａは、送風装置１００と同じ構成を有する。そのため、送風装置１００ａの送風装置１００と実質上同じ部分には、同じ符号を付すとともに、同じ部分の詳細な説明は省略する。
【０１２７】
送風装置１００ａに作用する力が小さい場合、振動が少ない場合等、ハウジング部３０１の上フランジ３５と下フランジ３６とで十分強固に固定できる場合、図８に示すように中央フランジを省略してもよい。図８に示すように、送風装置１００ａのハウジング部３０１は、第１部材３０１ａと第２部材３０１ｂとを有する。そして、第１部材３０１ａは、第１上フランジ部３５１および第１下フランジ部３６１を有する。第２部材３０１ｂは、第２上フランジ部３５２および第２下フランジ部３６２を有する。
【０１２８】
中央フランジを省略することで、第１部材３０１ａおよび第２部材３０１ｂの形状が簡略化される。そのため、第１部材３０１ａおよび第２部材３０１ｂの製造コストを下げることが可能である。また、中央フランジを省略することで、ハウジング部３０１の外周面上における、上フランジ３５と下フランジ３６との間の空間が広くなり、第１導線１１３１および第２導線２１３１の取り回しの自由度が高くなる。これにより、送風装置１００ａの取付に対する空間の制約が少なくなり、送風装置１００ａの汎用性が高くなる。
【０１２９】
＜７．２  第２変形例＞
本実施形態にかかる送風装置の変形例について図面を参照して説明する。図９は、本発明にかかる送風装置の第２変形例の斜視図である。図９に示す送風装置１００ｂは、第４分割部Ｂｎ２２の位置が、図８に示す送風装置１００ａと異なる。これ以外の点において、送風装置１００ｂは、送風装置１００ａと同じ構成を有する。そのため、送風装置１００ｂの送風装置１００ａと実質上同じ部分には、同じ符号を付すとともに、同じ部分の詳細な説明は省略する。
【０１３０】
送風装置１００ｂのハウジング部３０２では、第４分割部Ｂｎ２２の位置が、図１から図８に示すハウジング部と異なる。そのため、下フランジ３６の分割位置が異なり、送風装置１００ａでは、第１下取付孔３６３であった孔が、第２下取付孔３６４ｋになる。そして、第１上取付孔３５３ｋと第２下取付孔３６４ｋとが軸方向に重なる。
【０１３１】
第１上取付孔３５３ｋ、第２下取付孔３６４ｋの両方に、ボルトを通すことで、第１部材３０２ａと第２部材３０２ｂとをボルトで共締めできる。すなわち、少なくとも１つの第１上取付孔３５３と軸方向に見たときに重なる第２下取付孔３６４を有する、または、少なくとも１つの第２上取付孔３５４と軸方向に見たときに重なる第２上取付孔３６３を有していてもよい。
【０１３２】
これにより、送風装置１００ｂをより強固に外部機器に固定することが可能である。なお、本変形例では、第１上取付孔３５３ｋと第２下取付孔３６４ｋとが軸方向から見たときに重なるが、これに限定されない。例えば、軸方向から見たときに重なる第２上取付孔と第１下取付孔とを有していてもよい。
【０１３３】
また、本変形例では、中央フランジを備えない構成で説明したが、中央フランジを備える構成であってもよい。このとき、中央フランジの第１中央取付孔または第２中央取付孔が、第１上取付孔３５３ｋおよび第２下取付孔３６４ｋと軸方向から見て重なってもよい。このように配置することで、より強固に固定可能である。なお、上述のとおり、第１上取付孔３５３と第２下取付孔３６４と中央フランジの第１中央取付孔または第２中央取付孔とが軸方向から見て重なってもよい。
【０１３４】
すなわち、少なくとも１つの第１上取付孔３５３および第１中央取付孔３７３または第２中央取付孔３７４と軸方向に見たときに重なる第２下取付孔３６４を有する、または、少なくとも１つの第２上取付孔３５４および第１中央取付孔３７３または第２中央取付孔３７４と、軸方向に見たときに重なる第１下取付孔３６３を有する。このようにすることで、第１部材３０２ａおよび第２部材３０２ｂが共締めされるとともに、中央フランジ３７も共締めされる。これより、ハウジング部３０２をより強固に固定できる。
【０１３５】
＜７．３  第３変形例＞
本実施形態にかかる送風装置の変形例について図面を参照して説明する。図１０は、本発明にかかる送風装置の第３変形例の斜視図である。図１０に示す送風装置１００ｂは、軸方向から見たとき、第２分割部Ｂｎ１２が上フランジ３５の辺の中心よりも第１取付孔３５３ｋが形成される角部側に形成される。第２分割部Ｂｎ１２をこのように形成することで、第２分割部Ｂｎ１２と第４分割部Ｂｎ２２との配置が、第１分割部Ｂｎ１１と第３分割部Ｂｎ２１との配置と同じになる。このため、ハウジング部３０２の組み立てが容易になる。また、ハウジング部３０２では、軸方向に見たときに、上フランジ３５の辺の中心部分が薄肉になっている。第２分割部Ｂｎ１２を図１０に示す位置に変更することで、分割線が薄肉の部分を通らなくなり、ハウジング部３０２の強度を高めることができる。
【０１３６】
＜７．４  第４変形例＞
本実施形態にかかる送風装置の変形例について図面を参照して説明する。図１１は、本発明にかかる送風装置の第４変形例の斜視図である。図１１に示す送風装置１００ｃは、第４分割部Ｂｎ２２の位置が、図１に示す送風装置１００と異なる。これ以外の点において、送風装置１００ｃは、送風装置１００と同じ構成を有する。そのため、送風装置１００ｂの送風装置１００と実質上同じ部分には、同じ符号を付すとともに、同じ部分の詳細な説明は省略する。
【０１３７】
図１１に示すハウジング部３０３において、中央フランジ３７の一部が上下に分割されており、第１中央フランジ部３７１の一部と、第２中央フランジ部３７２の一部とが軸方向に重なる。さらに説明すると、第１中央フランジ部３７１の一部が第２中央フランジ部３７２の一部の軸方向上方に配置される。そして、第１中央フランジ部３７１に設けられる第１中央取付孔３７３ｍと、第２中央フランジ部３７２に設けられる第２中央取付孔３７４ｍと、が軸方向に重なる。すなわち、少なくとも一つの、第１中央取付孔３７３と第２中央取付孔３７４とは、軸方向に見たときにそれぞれ重なる。
【０１３８】
また、図１１に示すように、第１上フランジ部３５１に設けられた第１上取付孔３５３ｍと、第１中央フランジ部３７１に設けられた第１中央取付孔３７３ｍと、第２中央フランジ部３７２に設けられた第２中央取付孔３７４ｍと、第２下フランジ部２６２に設けられた第２下取付孔３６４ｍとが軸方向に重なる。
【０１３９】
これにより、第１上取付孔３５３ｍ、第１中央取付孔３７３ｍ、第２中央取付孔３７４ｍおよび第２下取付孔３６４ｍにボルトを通して、共締めすることができる。つまり、ハウジング部３０３は、第１部材３０３ａと第２部材３０３ｂとが共締めされる。これにより、ハウジング部３０３を強固に固定することができる。
【０１４０】
以上、本発明の実施形態について説明したが、本発明の趣旨の範囲内であれば、実施形態は種々の変形が可能である。
【産業上の利用可能性】
【０１４１】
本発明にかかる送風装置は、コンピュータ、ネットワーク通信装置、サーバ等の機器内に配置された電子部品に対して送風し、電子部品を冷却する送風装置として利用することが可能である。
【符号の説明】
【０１４２】
１００      送風装置
１００ａ    送風装置
１００ｂ    送風装置
１０      第１ファン部
１１      第１モータ部
１１０      第１軸受
１１１      第１ステータ部
１１２      第１ロータ部
１１３      第１回路基板
１１３１      第１導線
１１４      第１ステータコア
１１５      第１インシュレータ
１１６      第１コイル
１１７      第１シャフト
１１８      第１ロータヨーク
１１８１      ロータ蓋部
１１８２      シャフト固定部
１１８３      ロータ筒部
１１９      第１ロータマグネット
１２      第１インペラ
１２１      羽根
１２２      カップ
２０      第２ファン部
２１      第２モータ部
２１０      第２軸受
２１１      第２ステータ部
２１２      第２ロータ部
２１３      第２回路基板
２１３１      第２導線
２１４      第２ステータコア
２１５      第２インシュレータ
２１６      第２コイル
２１７      第２シャフト
２１８      第２ロータヨーク
２１８１      ロータ蓋部
２１８２      シャフト固定部
２１８３      ロータ筒部
２１９      第２ロータマグネット
２２      第２インペラ
２２１      羽根
２２２      カップ
３０      ハウジング部
３０ａ    第１部材
３０ｂ    第２部材
３０１      ハウジング部
３０１ａ    第１部材
３０１ｂ    第２部材
３０２      ハウジング部
３０２ａ    第１部材
３０２ｂ    第２部材
３０３      ハウジング部
３０３ａ    第１部材
３０３ｂ    第２部材
３１      上筒部
３１１      第１上筒分割体
３１２      第２上筒分割体
３１３      第１導線引出部
３２      下筒部
３２１      第１下筒分割体
３２２      第２下筒分割体
３２３      第２導線引出部
３３      第１ファン支持部
３３１      第１支持枠部
３３２      第１ベース部
３３３      第１リブ
３３４      第１軸受保持部
３３５      第１凸部
３４      第２ファン支持部
３４１      第２支持枠部
３４２      第２ベース部
３４３      第２リブ
３４４      第２軸受保持部
３４５      第２凸部
３５      上フランジ
３５１      第１上フランジ部
３５２      第２上フランジ部
３５３      第１上取付孔
３５３ｋ    第２上取付孔
３５３ｍ    第１上取付孔
３５４      第２上取付孔
３６      下フランジ
３６１      第１下フランジ部
３６２      第２下フランジ部
３６３      第１下取付孔
３６４      第２下取付孔
３６４ｋ    第１下取付孔
３６４ｍ    第２下取付孔
３７      中央フランジ
３７１      第１中央フランジ
３７２      第２中央フランジ
３７３      第１中央取付孔
３７３ｍ    第１中央取付孔
３７４      第２中央取付孔
３７４ｍ    第２中央取付孔
３８      第１収容部
３８１      第１貫通部
３９      第２収容部
３９１      第２貫通部
Ｂｎ１１      第１分割部
Ｂｎ１２      第２分割部
Ｂｎ２１      第３分割部
Ｂｎ２２      第４分割部
Ｊ１      中心軸
【図１】
2020197160.tif 000003
【図２】
2020197160.tif 000004
【図３】
2020197160.tif 000005
【図４】
2020197160.tif 000006
【図５】
2020197160.tif 000007
【図６】
2020197160.tif 000008
【図７】
2020197160.tif 000009
【図８】
2020197160.tif 000010
【図９】
2020197160.tif 000011
【図１０】
2020197160.tif 000012
【図１１】
2020197160.tif 000013